(57)【要約】【課題】デジタルカメラ等によるカラー画像データを受信した場合に、その画像データの内容を簡単に低コストで確認できるカラー画像通信装置を提供する。【解決手段】ｓＹＣＣ−ＪＰＥＧ画像データを受信するとプリント処理を行う。受信した画像データはカラー画像データであるか判定し（ＳＴ２１）、カラー画像データであるときは、ＣＩＥＬＡＢ−ＪＰＥＧ画像データなのか、それともｓＹＣＣ−ＪＰＥＧ画像データなのか判定する（ＳＴ２２）。ｓＹＣＣ−ＪＰＥＧ画像データであるなら、画像データ中にサムネイルが有るか判定し（ＳＴ２３）、有りのときは、サムネイルはプリントするのかユーザに問う（ＳＴ２４）。ユーザがＹＥＳの回答をすると、画像データに次ページが有るのか判定し（ＳＴ２５）、有るなら、次ページ以降についてもＳＴ２３〜ＳＴ２５を繰り返す。次ページが無いなら、サムネイルのみを一括してプリントする（ＳＴ２６）。【選択図】　　　図４
2004140543.tif 000002
【特許請求の範囲】
【請求項１】
ファクシミリ通信手順に則したカラー画像データ、及びｓＹＣＣ−ＪＰＥＧ色空間の画像データを受信する受信手段と、受信した画像データを記録する画像記録手段とを備えるカラー画像通信装置であって、
前記受信手段で受信した画像データがｓＹＣＣ−ＪＰＥＧ色空間の画像データである場合は、そのｓＹＣＣ−ＪＰＥＧ色空間の画像データの中からサムネイルを抜き出して前記画像記録手段で記録するようにしたことを特徴とするカラー画像通信装置。
【発明の詳細な説明】
【０００１】
【発明の属する技術分野】
この発明は、ファクシミリ装置、コピー装置、それらの複合機等に使用されるカラー画像通信装置に関する。
【０００２】
【従来の技術】
近年、カラー画像の読み取り装置を備え、読み取ったカラー画像も電話回線を介して伝送するカラーファクシミリ装置が開発されている。この種のカラーファクシミリ装置の画像伝送は、ＩＴＵ−Ｔ勧告Ｔ．８１に従って行われるものであり、Ｔ．８１ではカラー画像データをＣＩＥ（国際照明委員会）表色系のＬＡＢ色空間のＪＰＥＧ画像データ（以下、ＣＩＥＬＡＢ−ＪＰＥＧ画像データという）で伝送することが規程されている。
【０００３】
一方、別の色空間であるｓ（スタンダード）ＹＣＣ色空間のＪＰＥＧ画像データ（以下、ｓＹＣＣ−ＪＰＥＧ画像データという）については、これまでは自機で読み取った画像データを扱っていたので、ｓＹＣＣ−ＪＰＥＧ画像データであってもファックス用紙サイズに対応しており、送信したｓＹＣＣ−ＪＰＥＧ画像データは受信側でプリンタによりプリントすることができる。
【０００４】
ところが、デジタルカメラやＰＣ（パーソナルコンピュータ）で取り扱うｓＹＣＣ−ＪＰＥＧ画像データは、画像データのサイズが純粋な画素数（縦×横ドット数）となっており、従来からファクシミリで扱っているような記録サイズと解像度から算出される画素数となっていない。
【０００５】
そこで、デジタルカメラで撮影した画像を良好な画質で容易に送信することができ、かつ、ファクシミリ装置が備えているプリント手段を利用して出力したりすることができるようにするために、デジタルカメラで撮影された画像をメモリカードによってファクシミリ装置に取り込んでから、その画像をプリントアウトし、プリントアウトした画像をスキャナで読み取り、読み取った画像をカラーファクシミリの標準規格に準拠したＪＰＥＧフォーマット形式の画像データに変換し、この変換した画像データを相手先に送信する技術が提案されている（例えば、特許文献１参照）。
【０００６】
この技術では、メモリカードからの送信を設定した場合は、メモリカードに記憶されている画像データの一覧をサムネイル形式でＬＣＤに表示し、ユーザはその表示されたサムネイルより送信したい画像を指定するようになっている。また、メモリカードに記憶されているデジタルカメラで撮影した画像のプリントアウトを指定すると、メモリカードに記憶された複数の画像のサムネイルを表示し、ユーザはそのサムネイルの一覧をプリントアウトすることができるようになっている。
【０００７】
【特許文献１】
特開２００１−３２６７６９
【０００８】
【発明が解決しようとする課題】
しかしながら、上記特許文献１記載の技術によれば、たとえサムネイルであってもデジタルカメラによる画像データをプリントするのに、メモリカードを必要とするだけでなく、メモリカードの画像データを送信する場合には、その画像データを装置に取り込んでから、一旦プリントアウトし、プリントアウトした画像をスキャナで読み取り、読み取った画像を画像変換してから送信している。つまり、メモリカードを介してでないと、デジタルカメラで撮影した画像データをプリントすることや送信することは不可能であり、デジタルカメラで撮影した画像データをファクシミリ受信した場合のことは全く想定していない。
【０００９】
特許文献１記載の技術の場合、メモリカードに対して読み書きするためのリーダ・ライタや、メモリカードから読み取った画像データをファクシミリ送信可能なデータフォーマットへ変換する画像データフォーマット変換手段等を装置に設けなければならず、それだけコストが掛かる上に、構成も複雑になる。
【００１０】
この発明は、そのような問題に着目してなされたものであって、デジタルカメラ等で撮影されたカラー画像データを受信した場合に、その画像データの内容を簡単に低コストで確認できるカラー画像通信装置を提供することを目的としている。
【００１１】
【課題を解決するための手段】
前記目的を達成するために、この発明の請求項１記載のカラー画像通信装置は、ファクシミリ通信手順に則したカラー画像データと、ｓＹＣＣ−ＪＰＥＧ色空間の画像データを受信する受信手段と、受信した画像データを記録する画像記録手段とを備えるものであって、前記受信手段で受信した画像データがｓＹＣＣ−ＪＰＥＧ色空間の画像データである場合は、そのｓＹＣＣ−ＪＰＥＧ色空間の画像データの中からサムネイルを抜き出して前記画像記録手段で記録するようにしたことを特徴とする。
【００１２】
この装置では、ｓＹＣＣ−ＪＰＥＧ色空間の画像データを受信した場合、その画像データの中からサムネイルだけを画像記録手段で記録する。サムネイルは画像データ中のデータ本体を縮小表示した画像見本であるため、たとえ受信した画像データがファクシミリの標準規格に合致しないｓＹＣＣ−ＪＰＥＧ色空間の画像データであっても、画像データ中のサムネイルは一覧表のような形式で記録することができる。ユーザは、その記録したサムネイルの一覧を見ることで、ｓＹＣＣ−ＪＰＥＧ色空間の画像データの内容を確認することができる。
【００１３】
従って、本発明の装置によれば、デジタルカメラ等で撮影されたカラー画像データを受信した場合でも、ユーザはその画像データの内容を簡単に低コストで確認できる。
【００１４】
【発明の実施の形態】
以下、実施の形態により、この発明を更に詳細に説明する。
【００１５】
その実施形態に係るカラー画像通信装置の構成の一例を示すブロック図を図１に示す。このカラー画像通信装置は、コピー装置とファクシミリ装置を兼用する複合機として構成したものである。
【００１６】
図１において、主制御部としてのＣＰＵ（中央処理装置）１は、当該装置を構成する各部を統括制御する機能を有する。
【００１７】
このＣＰＵ１には、ＮＣＵ（網制御回路：Ｎｅｔｗｏｒｋ　Ｃｏｎｔｒｏｌ　Ｕｎｉｔ）２、ＭＯＤＥＭ３、ＲＯＭ４、ＲＡＭ５、画像メモリ６、表示部７、操作部８、画像読み取り部９、画像記録部（画像記録手段）１０、ＣＯＤＥＣ（符号化・復号器：　　Ｃｏｄｅｒ　ａｎｄ　Ｄｅｃｏｄｅｒ　）１１、ＬＡＮ　Ｉ／Ｆ１２がバス１３を介して接続されている。
【００１８】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行うが、Ｖ．８、Ｖ．３４を用いたＶ．３４ＦＡＸにも適用可能である。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。ここでは、ＮＣＵ２とＭＯＤＥＭ３でファクシミリ通信手順に則したカラー画像データと、ｓＹＣＣ−ＪＰＥＧ画像データを受信する受信手段が構成される。
【００１９】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データも圧縮状態で記憶する。
【００２０】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、電話番号やＦＡＸ番号を入力するためのテンキー、相手先の電話番号やＦＡＸ番号をワンタッチで呼び出すワンタッチキー、相手先の電話番号やＦＡＸ番号を短縮登録する登録キー、ＦＡＸやコピーの開始等を指示するスタートキー、ＦＡＸモード・コピーモード・スキャナモード等の複数の動作モードについてのモード切替えを行うための動作モード切替キー等を有する。
【００２１】
画像読み取り部９は、ＦＡＸ送信するとき又はコピーするときに、原稿の画像データを光学的に走査して読み取る。この画像読み取り部９は、カラー画像の読み取りも可能である。画像記録部１０は、電子写真方式のプリンタよりなり、受信画像データやコピー動作において画像読み取り部９で読み取った原稿の画像データを記録紙上に記録する。この画像記録部１０は、カラープリントも可能である。
【００２２】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ　Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００２３】
ここで、ｓＹＣＣ−ＪＰＥＧ画像データのサムネイルについて説明する。図２に示すように、受信したカラー画像データファイル（ＪＰＥＧファイル）ＦＪは、デジタルカメラで撮影した撮影画像（ｓＹＣＣ−ＪＰＥＧ画像データ）ＦＪ１と、撮影画像のサムネイル（画像データの縮小版）ＦＪ２と、付加情報ＦＪ３とからなり、これらＦＪ１，ＦＪ２，ＦＪ３を含めてＪＰＥＧファイルＦＪとしている。付加情報ＦＪ３としては、撮影者と撮影者に関連する情報、撮影時刻、撮影機の関連データ、ファックスの送信元の情報等が格納されている。
【００２４】
次に、このカラー画像通信装置における画像データの受信動作について、図３のフロー図を参照して説明する。まず、ステップＳＴ１において、相手（発呼先）からファクシミリ着信があると、ステップＳＴ２において、デジタル識別信号（ＤＩＳ：Ｄｉｇｉｔａｌ　Ｉｄｅｎｔｉｆｉｃａｔｉｏｎ　Ｓｉｇｎａｌ　）を発呼先に送出する。そして、ステップＳＴ３において、発呼先からデジタル命令信号（ＤＣＳ：Ｄｉｇｉｔａｌ　　　　Ｃｏｍｍａｎｄ　Ｓｉｇｎａｌ）を受信する。
【００２５】
続いて、ステップＳＴ４において、受信した画像データがカラー画像データであるか判定し、モノクロ画像データであるときは、ステップＳＴ５において、通常のファクシミリ受信を行う。
【００２６】
受信した画像データがカラー画像データであるときは、ステップＳＴ６において、そのカラー画像データはＣＩＥＬＡＢ−ＪＰＥＧ画像データなのか、それともｓＹＣＣ−ＪＰＥＧ画像データなのか判定する。ｓＹＣＣ−ＪＰＥＧ画像データである場合は、ステップＳＴ７において、そのｓＹＣＣ−ＪＰＥＧ画像データを受信し、受信後にステップＳＴ８において、後ハンドシェーク（Ｈａｎｄｓｈａｋｅ　）を行ってから、ステップＳＴ９において、回線を断つ。その後、ステップＳＴ１０において、プリント処理を行う。このプリント処理については後述する。
【００２７】
一方、ステップＳＴ６において、カラー画像データがＣＩＥＬＡＢ−ＪＰＥＧ画像データである場合は、ステップＳＴ１１において、ＣＩＥＬＡＢ−ＪＰＥＧ画像データを受信し、受信後にステップＳＴ１２において、後ハンドシェークを行ってから、ステップＳＴ１３において、回線を断つ。その後、ステップＳＴ１４において、受信したＣＩＥＬＡＢ−ＪＰＥＧ画像データを画像記録部１０によりカラープリントする。
【００２８】
次に、プリント処理について、図４のフロー図を参照して説明する。このプリント処理は、ｓＹＣＣ−ＪＰＥＧ画像データを受信した場合だけでなく、モノクロ画像データやＣＩＥＬＡＢ−ＪＰＥＧ画像データのプリントも含む、当該装置が行う一般的なプリント処理である。
【００２９】
まず、ステップＳＴ２１において、これからプリントする画像データはカラー画像データであるのか判定する。モノクロ画像データであるなら、ステップＳＴ２７において、画像記録部１０により通常の（モノクロ）プリント処理を行う。
【００３０】
画像データがカラー画像データである場合は、ステップＳＴ２２において、そのカラー画像データはＣＩＥＬＡＢ−ＪＰＥＧ画像データなのか、それともｓＹＣＣ−ＪＰＥＧ画像データなのか判定する。ＣＩＥＬＡＢ−ＪＰＥＧ画像データであるなら、ステップＳＴ２８において、画像記録部１０によりカラープリント処理を行う。
【００３１】
ｓＹＣＣ−ＪＰＥＧ画像データである場合は、ステップＳＴ２３において、そのｓＹＣＣ−ＪＰＥＧ画像データ中にサムネイルが有るか判定する。サムネイルが有るときは、ステップＳＴ２４において、そのサムネイルはプリントするのかを表示部７に表示してユーザに問う。ユーザがＹＥＳの回答を操作部８により入力すると、ステップＳＴ２５において、画像データには次のページが有るのか判定し、有るときは、ステップＳＴ２３に戻り、ステップＳＴ２３〜ＳＴ２５の処理を繰り返す。つまり、次ページ以降についても、同様にサムネイルが有るのか、そのサムネイルはプリントするのかを処理する。ステップＳＴ２５において、次ページが無いと、ステップＳＴ２６において、各画像データのサムネイルのみを一括して画像記録部１０によりプリントする。
【００３２】
一方、ステップＳＴ２３において、ｓＹＣＣ−ＪＰＥＧ画像データ中にサムネイルが無いとき、及びステップＳＴ２４において、サムネイルは有るがサムネイルのプリントはしないときは、ステップＳＴ２９において、カラーデータを画像記録部１０によりプリントする。この場合のプリント処理は、ステップＳＴ２８のカラープリント処理と同じであるが、色空間のみが異なる。
【００３３】
【発明の効果】
以上説明したように、本発明によれば、デジタルカメラ等で撮影されたカラー画像データを受信した場合でも、その画像データ中のサムネイルは記録することができるので、ユーザは記録されたサムネイルを見ることで画像データの内容を簡単に低コストで確認できる。
【図面の簡単な説明】
【図１】実施形態に係るカラー画像通信装置（コピー装置とファクシミリ装置を兼用する複合機）の構成の一例を示すブロック図である。
【図２】同カラー画像通信装置における受信されたカラー画像データ（ＪＰＥＧファイル）の概略構成を示す図である。
【図３】同カラー画像通信装置における画像データの受信動作を示すフロー図である。
【図４】同カラー画像通信装置におけるプリント処理動作を示すフロー図である。
【符号の説明】
１　　　　主制御部（ＣＰＵ）
２　　　　ＮＣＵ
３　　　　ＭＯＤＥＭ
４　　　　ＲＯＭ
５　　　　ＲＡＭ
６　　　　画像メモリ
７　　　　表示部
８　　　　操作部
９　　　　画像読み取り部
１０　　　画像記録部（画像記録手段）
１１　　　ＣＯＤＥＣ
１２　　　ＬＡＮ　Ｉ／Ｆ
１３　　　バス
１４　　　電話回線網
１５　　　ＬＡＮ
ＦＪ　　　カラー画像データファイル（ＪＰＥＧファイル）
ＦＪ２　　サムネイル
【図１】
2004140543.tif 000003
【図２】
2004140543.tif 000004
【図３】
2004140543.tif 000005
【図４】
2004140543.tif 000006